(57)【特許請求の範囲】
【請求項１】
水槽に貯めた水をポンプで管路に吸い上げて、前記管路の先端から給水する給水装置に用いられ、前記管路の途中に設けられて、前記ポンプが停止したときに、前記管路へエアを引き込む給水装置用エア引き込み弁において、
筒状の弁箱の側部および一方の底部の一方に、前記管路の上流側に接続される給水口を設け、他方に管路の下流側に接続される排水口を設け、他方の底部にエア孔を設けて、前記弁箱に収納した弁体を、前記給水口から供給される水の圧力で前記他方の底部側へ移動させて、前記エア孔の周囲の弁座に押し付け、前記ポンプが停止して前記弁箱内の水圧がなくなったときに、前記弁体が前記エア孔からエアを引き込むように前記一方の底部側へ移動するものとし、
前記弁箱のエア孔に嵌挿され、前記弁箱の筒軸方向にスライド移動する弁軸を設け、この弁軸に前記弁体を設け、
前記弁箱内へ嵌挿された弁軸の端部に、前記筒状の弁箱の横断面を覆う遮蔽板を設け、この遮蔽板を前記弁軸と一緒に前記筒軸方向へ移動させるようにし、
前記一方の底部に設けられた前記給水口または前記排水口に、前記給水口または前記排水口を前記遮蔽板が閉塞するのを防止する凸部を有するフィルタを取り付けた給水装置用エア引き込み弁。
【請求項２】
前記弁箱の上部に前記他方の底部を設け、前記弁軸の上に錘を装着して重力による前記弁軸の下降を促進するようにした請求項１に記載の給水装置用エア引き込み弁。
【請求項３】
前記弁体を、前記弁軸に外嵌したＯリングとした請求項１または２に記載の給水装置用エア引き込み弁。
【請求項４】
前記遮蔽板に、表裏に貫通する貫通孔を設けた請求項１乃至３のいずれか１項に記載の給水装置用エア引き込み弁。
【請求項５】
前記遮蔽板の前記一方の底部側への移動位置を前記給水口よりも前記他方の底部側の位置に規制する手段を設けた請求項１乃至４のいずれか１項に記載の給水装置用エア引き込み弁。
【請求項６】
請求項１乃至５のいずれか１項に記載の給水装置用エア引き込み弁を用いた給水装置。
【発明の詳細な説明】
【技術分野】
【０００１】
本発明は、水槽に貯めた水をポンプで管路に吸い上げて給水する給水装置に用いられる給水装置用エア引き込み弁と給水装置に関する。
【背景技術】
【０００２】
通常、庭やプランタ等に植えた植物に散水用の給水をする場合は、水道の蛇口にホースを接続して、ホースの先端から給水している。水道の蛇口またはホースの途中に、タイマで作動するタイマ付きバルブを取り付け、所望の時刻に所望の時間だけ自動的に散水できるようにしたものもある（例えば、特許文献１参照）。
【０００３】
一方、近くに水道の蛇口がないベランダ等で、プランタや植木鉢に植えた植物に散水用の給水をする場合は、水を入れた如雨露等の給水容器をベランダ等に持ち運び、それぞれの植物に散水するようにしている。しかしながら、このような散水方法は、重い水を持ち運ぶのに労力を要し、特に、多くの植物が植えられている場合は、一度に少しずつの水しか持ち運ぶことができないので、大変な労力を要する。
【０００４】
このように水を供給可能な水道の蛇口が近くにない場合に、水を持ち運ぶことなく散水用等の給水をする手段としては、水槽に貯めた水をポンプでホース等の管路に吸い上げて、管路の先端から給水する給水装置が知られている。
【先行技術文献】
【特許文献】
【０００５】
【特許文献１】特許第４３５９９３７号公報
【発明の概要】
【発明が解決しようとする課題】
【０００６】
上述した水槽に貯めた水をポンプで管路に吸い上げて給水する給水装置は、水を供給可能な水道の蛇口が近くにない場合でも、楽に給水することができるが、ホース等の管路の開口した先端が水槽の水位よりも低い位置にあると、ポンプを停止しても、サイホン作用によって水槽内の水が管路に吸い上げられ、管路の先端からの給水を止めることができない問題がある。
【０００７】
このような水槽内の水を管路へ吸い上げるサイホン作用による管路の先端からの給水を止めるためには、管路の途中に電磁弁等のバルブを設けることが考えられるが、バルブを電磁弁等の自動バルブとする場合は、給水装置が高価なものとなる。安価な手動バルブとする場合は、バルブの開閉に余分な手間がかかる。また、ポンプをタイマで作動するタイマ付きポンプとし、所望の時刻に所望の時間だけ自動的に給水できるようにする場合は、手動バルブでは対応することができず、自動バルブとする場合も、タイマ付きポンプと連動させる必要があり、給水装置がより高価なものとなる。
【０００８】
そこで、本発明の課題は、水槽に貯めた水をポンプで管路に吸い上げて給水する給水装置で、ポンプを停止したときに、管路の先端からの給水を安価な構成で自動的に止めることができるようにすることである。
【課題を解決するための手段】
【０００９】
上記の課題を解決するために、本発明に係る給水装置用エア引き込み弁は、水槽に貯めた水をポンプで管路に吸い上げて、前記管路の先端から給水する給水装置に用いられ、前記管路の途中に設けられて、前記ポンプが停止したときに、前記管路へエアを引き込む給水装置用エア引き込み弁において、筒状の弁箱の側部および一方の底部の一方に、前記管路の上流側に接続される給水口を設け、他方に管路の下流側に接続される排水口を設け、他方の底部にエア孔を設けて、前記弁箱に収納した弁体を、前記給水口から供給される水の圧力で前記他方の底部側へ移動させて、前記エア孔の周囲の弁座に押し付け、前記ポンプが停止して前記弁箱内の水圧がなくなったときに、前記弁体が前記エア孔からエアを引き込むように前記一方の底部側へ移動するものとし、前記弁箱のエア孔に嵌挿され、前記弁箱の筒軸方向にスライド移動する弁軸を設け、この弁軸に前記弁体を設け、前記弁箱内へ嵌挿された弁軸の端部に、前記筒状の弁箱の横断面を覆う遮蔽板を設け、この遮蔽板を前記弁軸と一緒に前記筒軸方向へ移動させるようにし、前記一方の底部に設けられた前記給水口または前記排水口に、前記給水口または前記排水口を前記遮蔽板が閉塞するのを防止する凸部を有するフィルタを取り付けた構成を採用した。
【００１０】
すなわち、水槽に貯めた水をポンプで管路に吸い上げて、管路の先端から給水する給水装置の管路の途中に、ポンプが停止したときに、管路へエアを引き込むエア引き込み弁を設けることにより、管路の途中へ引き込んだエアによって、水槽内の水を管路へ吸い上げるサイホン作用を遮断し、管路の先端からの給水を安価な構成で自動的に止めることができるようにした。
【００１２】
また、ポンプが停止して弁箱内の水圧がなくなると、弁箱内の水が給水口や排水口から重力によって流出するとともに、弁体がエア孔からエアを引き込むように弁座から離脱するように移動し、外部のエアがエア孔から弁箱内に引き込まれて弁箱内の水密状態が解消され、サイホン作用が自然に遮断されるので、別途の駆動源を設けることなく、管路の先端からの給水を安価な構成で自動的に止めることができる。
【００１３】
前記弁箱のエア孔に嵌挿され、前記弁箱の筒軸方向にスライド移動する弁軸を設け、この弁軸に前記弁体を設けることにより、弁体の移動をスムーズに案内することができるとともに、エア孔から弁箱内への異物の侵入を抑制することができる。また、ポンプの作動開始時に、給水口からの水の水圧を遮蔽板で受けて、弁軸の弁体を速やかに弁座に押し付け、エア孔からの水漏れを抑制するとともに、ポンプの停止時に、弁箱から重力で流出する水の流れに乗せて遮蔽板をエア孔と反対側へ移動させ、弁軸の弁体を速やかに弁座から離脱させることができる。また、前記弁箱の上部に前記他方の底部を設け、前記弁軸の上に錘を装着して重力による前記弁軸の下降を促進するようにした。
【００１４】
前記弁体を、前記弁軸に外嵌したＯリングとすることにより、安価に入手でき、接着剤等を用いずに弁軸に取り付けることができるので、簡単に弁体を形成することができる。なお、一般的に入手可能なゴムパッキン等のシール部材を弁体として用いてもよい。
【００１６】
前記遮蔽板に、表裏に貫通する貫通孔を設けることにより、ポンプの停止時に、遮蔽板をエア孔と反対側へより速やかに移動させることができる。この理由は、ポンプの停止直後には、弁箱内の水は遮蔽板の両側に存在するが、エア孔側に存在する水がこの貫通孔を通って流出側へ抜けるときの水流が、遮蔽板の移動を促進するためである。なお、この貫通孔はあまり大きいと効果がなく、直径１．５〜２．５ｍｍの範囲としたときに、遮蔽板の移動を促進する効果が最も大きくなり、より速やかに弁箱内へエアを引き込むことができる。
【００１７】
前記遮蔽板の前記一方の底部側への移動位置を前記給水口よりも前記他方の底部側の位置に規制する手段を設けることにより、ポンプが再び作動されたときに、給水口からの水圧で遮蔽板をエア孔が設けられた底部側へ速やかに移動させ、エア孔からの水漏れを抑制することができる。
【００１８】
また、本発明に係る給水装置は、上述したいずれかの給水装置用エア引き込み弁を用いた構成を採用した。
【発明の効果】
【００１９】
本発明に係る給水装置用エア引き込み弁は、水槽に貯めた水をポンプで管路に吸い上げて、管路の先端から給水する給水装置の管路の途中に、ポンプが停止したときに、管路へエアを引き込むようにしたので、水槽内の水を管路へ吸い上げるサイホン作用を遮断し、管路の先端からの給水を安価な構成で自動的に止めることができる。
【図面の簡単な説明】
【００２０】
【図１】第１の実施形態の給水装置を模式的に示す構成図
【図２】図１の水槽の近傍を示す縦断面図
【図３】（ａ）は図２のエア引き込み弁を示す縦断面図、（ｂ）は（ａ）のIIIb−IIIb線に沿った断面図
【図４】図３（ａ）のエア孔を開放した状態を示す縦断面図
【図５】第２の実施形態の給水装置の水槽の近傍を示す縦断面図
【図６】（ａ）は図５のエア引き込み弁を示す縦断面図、（ｂ）は（ａ）のエア孔を開放した状態を示す縦断面図
【図７】図６のエア引き込み弁の変形例を示す縦断面図、（ｂ）は（ａ）のエア孔を開放した状態を示す縦断面図
【図８】第３の実施形態の給水装置の水槽の近傍を示す縦断面図
【図９】（ａ）は図８のエア引き込み弁を示す縦断面図、（ｂ）は（ａ）のエア孔を開放した状態を示す縦断面図
【発明を実施するための形態】
【００２１】
以下、図面に基づき、本発明の実施形態を説明する。図１乃至図４は、第１の実施形態を示す。この給水装置は、ベランダのプランタ等に植えられた植物に散水する散水用のものであり、図１に示すように、水槽１に貯められた水を、投げ込み式のポンプ２で管路としてのホース３に吸い上げて、ホース３から散水するようになっている。ホース３には分岐管継手４によって複数の分岐ホース３ａが接続され、各分岐ホース３ａの先端に、プランタＰの土に差し込まれる複数の差し込み散水ノズル５ａが取付けられている。また、１つの分岐ホース３ａの先端には、手持ち散水ノズル５ｂも取付け可能とされている。各差し込み散水ノズル５ａの先端は、水槽１の水位よりも低い位置で開口している。
【００２２】
図２に示すように、前記ポンプ２はタイマ２ａを備えており、その作動時刻と作動時間を任意に設定できるようになっている。したがって、このタイマ２ａを設定することにより、所望の時刻に所望の時間だけポンプ２を作動して、留守中等でも自動的に散水することができる。また、水槽１の上端縁には、ホース３を係止する係止具６が取付けられ、このホース３の係止部に、後述する弁箱１１を縦置きとされたエア引き込み弁１０が、ホース３の途中に介在するように取付けられている。水槽１の中に垂らされた上流側のホース３は、弁箱１１の下向きの底部に接続され、水槽１の外に垂らされた下流側のホース３は、弁箱１１の側部に接続されている。なお、係止具６を省略して、エア引き込み弁１０の上流側と下流側のホース３を、水槽１の中と外に垂らすようにしてもよい。
【００２３】
図３（ａ）、（ｂ）に示すように、前記エア引き込み弁１０は、下向きの底部に上流側のホース３が接続される給水口１１ａが設けられ、側部に下流側のホース３が接続される排水口１１ｂが設けられた縦置き円筒状の弁箱１１と、弁箱１１の上向きの底部を覆い、中心にエア孔１２ａが設けられた弁蓋１２と、エア孔１２ａに上下方向へスライド自在に嵌挿された弁軸１３と、弁軸１３に外嵌され、弁軸１３と一緒に昇降してエア孔１２ａの周囲の弁座１２ｂに押し当てられる弁体としてのＯリング１４とで基本的に構成されている。弁箱１１、弁蓋１２および弁軸１３は、いずれも塩化ビニル樹脂等の合成樹脂で形成されている。
【００２４】
前記弁箱１１の底部の給水口１１ａは下向きに開口するように、側部の排水口１１ｂは水平方向に開口するように取付けられている。また、底部の給水口１１ａには、弁箱１１内への異物の侵入を防止するためのステンレス鋼製のメッシュフィルタ１５が取り付けられている。このメッシュフィルタ１５は、中央部に上向きの凸部１５ａが形成された形状とされている。
【００２５】
前記弁軸１３は、エア孔１２ａとの間にスライド移動を可能とする隙間を開けて嵌挿され、弁箱１１内へ嵌挿された下端に、弁箱１１の横断面を覆う遮蔽板１６が一体に形成されている。この遮蔽板１６と弁箱１１の内周面との間にも、スライド移動を可能とする隙間が開けられている。これらの隙間は、図面上では判別できない程度のわずかな隙間である。また、弁軸１３には、軸方向に延びるエア引き込み用の凹溝１３ａが設けられ、その上端部には、後述するように下降したときにエア孔１２ａを覆う鍔部１３ｂが設けられており、その上側に、重力による弁軸１３の下降を促進するための錘１７が装着されている。
【００２６】
前記遮蔽板１６には、上下に貫通する貫通孔１６ａが設けられるとともに、その外周部の上下面に、昇降をスムーズにするために面取り１６ｂが施されている。貫通孔１６ａの直径は１．５〜２．５ｍｍとされており、後述するポンプ２の停止時に、遮蔽板１６が一体に形成された弁軸１３の下降を促進する。
【００２７】
前記Ｏリング１４は、弁軸１３の遮蔽板１６の上側に形成された大径部１３ｃに当接されるように、環状溝１３ｄに嵌め込まれて装着されている。また、弁座１２ｂは、エア孔１２ａの孔縁に形成された孔径が狭まるテーパ面とされ、そのテーパ角度は１０〜２０°の範囲に設定されている。テーパ角度が１０°未満では、Ｏリング１４が弁座１２ｂにくい込み過ぎて、離脱しにくくなる恐れがあり、テーパ角度が２０°を超えると、シール性が低下する恐れがあるからである。
【００２８】
前記ポンプ２が作動されると、水槽１からホース３に吸い上げられる水が給水口１１ａから弁箱１１に流入し、図３（ａ）に示したように、遮蔽板１６の下側に負荷されるポンプ２からの水圧によって、Ｏリング１４が弁軸１３と一緒に押し上げられ、弁座１２ｂに押し当てられるＯリング１４によってエア孔１２ａが閉塞される。したがって、弁箱１１に流入した水はそのまま排水口１１ｂから下流側のホース３に排出され、各散水ノズル５ａから、または散水ノズル５ａ、５ｂから散水される。遮蔽板１６は、Ｏリング１４が弁座１２ｂに押し当てられる前に、弁箱１１に流入する水がエア孔１２ａから漏れる水漏れを抑制する。
【００２９】
図４は、前記ポンプ２を停止した状態を示す。ポンプ２の停止によって弁箱１１内の水圧がなくなると、弁箱１１内の水は主として下向きに開口する給水口１１ａから重力によって流出し、水槽１内に戻される。この水の流出に伴って遮蔽板１６が下降して、弁軸１３と一緒に下降するＯリング１４が弁座１２ｂから離脱し、外部のエアがエア孔１２ａから弁箱１１内に引き込まれる。したがって、弁箱１１内の水密状態が解消されてサイホン作用が自然に遮断され、散水が自動的に止められる。このとき、遮蔽板１６は弁箱１１の底部近くまで下降し、給水口１１ａに取り付けられたメッシュフィルタ１５の凸部１５ａに係止される。このため、水が流出する給水口１１ａが遮蔽板１６で閉塞されることはない。また、エア孔１２ａは弁蓋１２から突出する弁軸１３の上端部の鍔部１３ａで覆われるので、エア孔１２ａから異物が侵入する恐れもない。なお、鍔部１３ｂを弁蓋１２に係止して、遮蔽板１６の下降位置を弁箱１１の底部近くに規制するようにしてもよい。
【００３０】
前記ポンプ２を再び作動したときは、図３（ａ）に示したように、水圧で遮蔽板１６と一緒に上昇するＯリング１４が弁座１２ｂに押し当てられ、再び散水が開始される。第１の実施形態のエア引き込み弁１０は、弁箱１１の底近くまで遮蔽板１６の昇降ストローク領域に利用できるので、後述する第２の実施形態のものよりも、弁箱１１の高さ寸法をコンパクトに設計することができる。
【００３１】
図５および図６は、第２の実施形態を示す。この給水装置も第１の実施形態のものと同様の散水用のものであり、図５に示すように、係止具６で係止され、水槽１の中に垂らされた上流側のホース３がエア引き込み弁１０の縦置きの弁箱１１の側部に接続され、水槽１の外に垂らされた下流側のホース３が、弁箱１１の下向きの底部に接続されている。
【００３２】
図６（ａ）に示すように、このエア引き込み弁１０は、縦置き円筒状の弁箱１１の側部に上流側のホース３が接続される給水口１１ａが設けられ、底部に下流側のホース３が接続される排水口１１ｂが設けられている点と、遮蔽板１６の下降位置を側部の給水口１１ａよりも上方に規制する規制手段として、弁箱１１の内周面に遮蔽板１６の外周部を側部の給水口１１ａの直上で係止する段差部１１ｃが形成されている点とが第１の実施形態のものと異なり、弁箱１１の高さ寸法が第１の実施形態のものよりも高くなっている。その他の部分は、第１の実施形態のものと同じであり、弁蓋１２にエア孔１２ａが設けられ、エア孔１２ａにスライド自在に挿通された弁軸１３に、弁体としてのＯリング１４が外嵌されており、ポンプ２が作動されると、給水口１１ａから流入する水の水圧によって、Ｏリング１４がエア孔１２ａの周囲の弁座１２ｂに押し当てられる。また、遮蔽板１６には貫通孔１６ａが設けられ、弁軸１３には、凹溝１３ａと鍔部１３ｂが設けられるとともに錘１７が装着されている。
【００３３】
図６（ｂ）に示すように、この実施形態では、ポンプ２の停止によって弁箱１１内の水圧がなくなると、弁箱１１内の水が給水口１１ａと排水口１１ｂから重力によって流出し、遮蔽板１６が給水口１１ａの直上まで下降して、Ｏリング１４が離脱したエア孔１２ａから外部のエアが弁箱１１内に引き込まれ、サイホン作用が遮断されて、散水が自動的に止められる。
【００３４】
図７（ａ）、（ｂ）は、第２の実施形態のエア引き込み弁１０の変形例を示す。この変形例は、前記遮蔽板１６の下降位置を給水口１１ａよりも上方に規制する手段として、弁軸１３の上端部に設けられた鍔部１３ｂが弁蓋１２の上面に係止されるようになっている点が異なる。その他の部分は、第２の実施形態のものと同じであり、鍔部１３ｂの上側には錘１７が装着されている。なお、遮蔽板１６の下降位置を規制する手段としては、弁軸１３の上部にＥリングやＣリング等の止め輪を装着し、この止め輪を弁蓋１２の上面に係止する手段を採用することもできる。
【００３５】
上述した第１および第２の実施形態では、弁軸１３に錘１７を装着するとともに、遮蔽板１６に直径１．５〜２．５ｍｍの貫通孔１６ａを設けたが、これらの錘１７や貫通孔１６ａを省略するか、貫通孔１６ａの直径を１．５〜２．５ｍｍの範囲外としても、ポンプ２が停止したときに弁軸１３を下降させて、エア孔１２ａから弁箱１１内へエアを引き込むことができる。
【００３６】
図８および図９は、第３の実施形態を示す。この給水装置も散水用のものであり、図８に示すように、係止具６で係止され、水槽１の中に垂らされた上流側のホース３がエア引き込み弁１０の横置きの弁箱１１の一方の底部に接続され、水槽１の外に垂らされた下流側のホース３が、弁箱１１の側部に下向きに接続されている。
【００３７】
図９（ａ）に示すように、このエア引き込み弁１０は、弁箱１１が横置き円筒状とされており、一方の底部に上流側のホース３が接続される水平方向に開口した給水口１１ａが取り付けられ、下向きの側部に下流側のホース３が接続される下向きに開口した排水口１１ｂが設けられるとともに、他方の底部を覆う弁蓋１２の中心にエア孔１２ａが設けられている。給水口１１ａには、弁箱１１の内方へ突出する凸部１５ａが形成されたステンレス鋼製のメッシュフィルタ１５が取り付けられている。
【００３８】
前記エア孔１２ａには、左右方向へスライド自在に弁軸１３が嵌挿され、エア孔１２ａの周囲の弁座１２ｂに押し当てられるＯリング１４が、弁軸１３に外嵌されている。弁軸１３は、エア孔１２ａとの間にスライド移動を可能とする隙間を開けて嵌挿され、弁箱１１内へ嵌挿された先端に、弁箱１１の横断面を覆う遮蔽板１６が一体に形成されるとともに、弁蓋１２から突出する基端に、後述するように一方の底部側へ移動したときにエア孔１２ａを覆う鍔部１３ｂが設けられている。また、弁軸１３には軸方向に延びるエア引き込み用の凹溝１３ａが設けられ、遮蔽板１６には直径１．５〜２．５ｍｍの貫通孔１６ａが設けられるとともに、その外周部の上下面に、面取り１６ｂが施されている。
【００３９】
前記Ｏリング１４は、弁軸１３の遮蔽板１６の横に形成された大径部１３ｃに当接されるように、環状溝１３ｄに嵌め込まれて装着されている。また、弁座１２ｂは、エア孔１２ａの孔縁に形成された孔径が狭まるテーパ面とされ、そのテーパ角度は１０〜２０°の範囲に設定されている。
【００４０】
前記ポンプ２が作動されると、水槽１からホース３に吸い上げられる水が給水口１１ａから弁箱１１に流入し、図９（ａ）に示したように、遮蔽板１６の左側に負荷されるポンプ２からの水圧によって、Ｏリング１４が弁軸１３と一緒に右方へ移動し、弁座１２ｂに押し当てられるＯリング１４によってエア孔１２ａが閉塞される。したがって、弁箱１１に流入した水はそのまま排水口１１ｂから下流側のホース３に排出され、散水が開始される。遮蔽板１６は、Ｏリング１４が弁座１２ｂに押し当てられる前に、弁箱１１に流入する水がエア孔１２ａから漏れる水漏れを抑制する。
【００４１】
図９（ｂ）は、前記ポンプ２を停止した状態を示す。ポンプ２の停止によって弁箱１１内の水圧がなくなると、弁箱１１内の水は給水口１１ａと排水口１１ｂから重力によって流出し、この水の流出に伴って遮蔽板１６が左方へ移動して、Ｏリング１４が弁座１２ｂから離脱し、外部のエアがエア孔１２ａから弁箱１１内に引き込まれる。したがって、弁箱１１内の水密状態が解消されてサイホン作用が自然に遮断され、散水が自動的に止められる。このとき、遮蔽板１６は弁箱１１の給水口１１ａ近くまで移動し、給水口１１ａに取り付けられたメッシュフィルタ１５の凸部１５ａに係止される。このため、水が流出する給水口１１ａが遮蔽板１６で閉塞されることはない。また、エア孔１２ａは弁軸１３の鍔部１３ｂで覆われるので、エア孔１２ａから異物が侵入する恐れもない。
【００４２】
上述した各実施形態では、弁軸１３にエア引き込み用の凹溝１３ａを設けたが、これらの凹溝１３ａは省略することもできる。この場合は、弁軸１３とエア孔１２ａの間の隙間からのみ、エアが引き込まれる。
【００４３】
上述した各実施形態では、エア引き込み弁の弁箱を円筒状のものとし、給水口と排水口を底部と側部に分けて設けたが、弁箱は多角筒状のものとすることもでき、給水口と排水口は、両方を底部または側部に設けることもできる。また、給水口と排水口の両方を、水平方向またはこれよりも下向きに開口させたが、これらの一方または両方を水平方向よりも上向きに開口させても、ポンプが停止したときに、エア孔からエアを引き込むことができる。
【００４４】
上述した各実施形態では、ポンプを投げ込み式でタイマ付きのものとしたが、ポンプは水槽の外に置かれる外置き式のものとすることもでき、手動でスイッチを入切するものとしてもよい。
【００４５】
上述した各実施形態では、給水装置を植物への散水用のものとしたが、本発明に係る給水装置は、散水用のものに限定されることはなく、例えば、水道の蛇口のないキャンプ場や、災害等で長期断水状態となった場所等で、各種用途の水を給水するものとすることもできる。
【符号の説明】
【００４６】
１  水槽
２  ポンプ
２ａ  タイマ
３  ホース
３ａ  分岐ホース
４  分岐管継手
５ａ、５ｂ  散水ノズル
６  係止具
１０  エア引き込み弁
１１  弁箱
１１ａ  給水口
１１ｂ  排水口
１１ｃ  段差部
１２  弁蓋
１２ａ  エア孔
１２ｂ  弁座
１３  弁軸
１３ａ  凹溝
１３ｂ  鍔部
１３ｃ  大径部
１３ｄ  環状溝
１４  Ｏリング
１５  メッシュフィルタ
１５ａ  凸部
１６  遮蔽板
１６ａ  貫通孔
１６ｂ  面取り
１７  錘
【図１】
0005858214.tif 000002
【図２】
0005858214.tif 000003
【図３】
0005858214.tif 000004
【図４】
0005858214.tif 000005
【図５】
0005858214.tif 000006
【図６】
0005858214.tif 000007
【図７】
0005858214.tif 000008
【図８】
0005858214.tif 000009
【図９】
0005858214.tif 000010